(57)【要約】【課題】  建物とは独立した場所に設置して任意の日陰を作ることができる日除け装置を提供する。【解決手段】  建物３０とは独立して設置される一対の柱２ａ，２ａと梁２ｂからなる門形フレーム２を備え、前記梁２ａは下部に開口部３を有するケース４からなり、該ケース４内に幕１０を巻き取る巻取軸１１を設け、該巻取軸１１から幕１０を任意の方向に引き出して張設可能としている。巻取軸１１から繰出される幕１０の先端に被係止部材１９を設け、前記巻取軸１１から任意の方向に離れた位置に前記被係止部材１９を係止して幕１０を張設するための係止部材２１を設けることが好ましい。【選択図】          図１
2006225969.tif 000002
【特許請求の範囲】
【請求項１】
建物とは独立して設置される一対の柱と梁からなる門形フレームを備え、前記梁は下部に開口部を有するケースからなり、該ケース内に幕を巻き取る巻取軸を設け、該巻取軸から幕を任意の方向に引き出して張設可能としたことを特徴とする日除け装置。
【請求項２】
建物とは独立して設置される一対の柱と梁からなる門形フレームを備え、前記梁は下部に開口部を有するケースからなり、該ケース内に幕を巻き取る巻取軸を設け、該巻取軸から繰出される幕の先端に被係止部材を設け、前記巻取軸から任意の方向に離れた位置に前記被係止部材を係止して幕を張設するための係止部材を設けたことを特徴とする日除け装置。
【発明の詳細な説明】
【技術分野】
【０００１】
本発明は、日除け装置に係り、特に建物とは独立した場所に設置して任意の日陰を作ることができるようにした日除け装置に関する。
【背景技術】
【０００２】
従来、日除け装置としては、建物の躯体に取付けて使用するもの（オーニングともいう）が知られている（例えば実開昭５５−６９５３８号公報「天幕内蔵軒先化粧カバー」参照）。実開昭５５−６９５３８号公報に記載された天幕内蔵軒先化粧カバーの場合、天幕繰出細隙を有する軒先化粧カバーと、この軒先化粧カバーに収納された天幕巻取棒と、上端を天幕巻取棒に固定し下端を天幕繰出細隙より垂下する天幕と、この天幕の下端に設けられた係合手段と、この係合手段を係合して繰出された天幕を伸張状態に保持する被係合手段とを備えて構成されている。前記天幕巻取棒は、ばねにより巻取方向に回転付勢され、前記係合手段は天幕の下端縁に沿って設けられた先導棒であり、前記被係合手段はこの先導棒の端部を前記ばねに抗して係合するフックである。この天幕内蔵軒先化粧カバーによれば、サンデッキやテラス、建物内に対する日除けをすることができる。
【０００３】
【特許文献１】実開昭５５−６９５３８号公報
【発明の開示】
【発明が解決しようとする課題】
【０００４】
しかしながら、前述したような従来の日除け装置においては、建物に取付けて使用するようになっているため、建物に穴を開けるなど、建物への負荷が大きいだけでなく、建物とは独立した場所に設置して任意の日陰を作ることが困難であった。
【０００５】
本発明は、上記事情を考慮してなされたものであり、建物とは独立した場所に設置して任意の日陰を作ることができる日除け装置を提供することを目的とする。
【課題を解決するための手段】
【０００６】
本発明のうち、請求項１に係る発明は、建物とは独立して設置される一対の柱と梁からなる門形フレームを備え、前記梁は下部に開口部を有するケースからなり、該ケース内に幕を巻き取る巻取軸を設け、該巻取軸から幕を任意の方向に引き出して張設可能としたことを特徴とする。
【０００７】
請求項２に係る発明は、建物とは独立して設置される一対の柱と梁からなる門形フレームを備え、前記梁は下部に開口部を有するケースからなり、該ケース内に幕を巻き取る巻取軸を設け、該巻取軸から繰出される幕の先端に被係止部材を設け、前記巻取軸から任意の方向に離れた位置に前記被係止部材を係止して幕を張設するための係止部材を設けたことを特徴とする。
【発明の効果】
【０００８】
請求項１に係る発明によれば、建物とは独立して設置される一対の柱と梁からなる門形フレームを備え、前記梁は下部に開口部を有するケースからなり、該ケース内に幕を巻き取る巻取軸を設け、該巻取軸から幕を任意の方向に引き出して張設可能としているため、建物とは独立した場所に設置して任意の日陰を作ることができる。
【０００９】
請求項２に係る発明によれば、建物とは独立して設置される一対の柱と梁からなる門形フレームを備え、前記梁は下部に開口部を有するケースからなり、該ケース内に幕を巻き取る巻取軸を設け、該巻取軸から繰出される幕の先端に被係止部材を設け、前記巻取軸から任意の方向に離れた位置に前記被係止部材を係止して幕を張設するための係止部材を設けているため、建物とは独立した場所に設置して任意の日陰を容易に作ることができる。
【発明を実施するための最良の形態】
【００１０】
以下に、本発明を実施するための最良の形態について、添付図面を基に詳述する。図１は本発明の実施の形態である日除け装置の使用状態を概略的に示す斜視図、図２は門形フレームの梁部分を垂直に切断してケース内の構造を概略的に示す断面図、図３は門形フレームの支柱と梁の接続構造を概略的に示す平面図、図４は同部分的正面図、図５はケース内の巻取軸の取付構造を概略的に示す分解斜視図、図６は巻取軸の概略的分解斜視図、図７は係止部材の一例を示す側面図である。
【００１１】
これらの図において、１は日除け装置で、この日除け装置１は建物３０とは独立して設置される一対の支柱２ａ，２ａと梁２ｂからなる門形フレーム２を備えている。支柱２ａ及び梁２ｂは、例えばアルミニウムの押出形材からなっている。支柱２ａの断面形状は、図示例では方形であるが、多角形や円形、楕円形等であっても良い。支柱２ａは、建物３０から離れた場所、例えば庭やテラスに立設される。
【００１２】
両支柱２ａ，２ａの上端部の対向面（内側面）間に掛け渡される梁２ｂは、下部に開口部３を有するケース４からなっている。図示例のケース４は長手方向両端面及び下面が開放された箱状に形成されている。両支柱２ａ，２ａの上端部の対向面間にケース４の両端部を取付けるために、両支柱２ａ，２ａの対向面には取付板５が固着具例えばネジで取付けられ、ケース４の両端部には前記取付板５に取付けられる端板６がネジ７で取付けられている。ケース４にはネジ７を捩じ込むためのタッピングホール８が設けられていることが好ましい。
【００１３】
取付板５は、上部に第１受部５ａを有し、下部に第２受部５ｂを有している。端板６は、取付板５の第１受部５ａに引っ掛けられる引掛け部６ａを上部に有していると共に、取付板５の第２受部５ｂに対してネジ９で固定される被固定部６ｂを下部に有している（図４、図５参照）。このようにケース４の両端に引掛け部６ａを有していることにより、ロールスクリーンが組み込まれた長尺のケース４を左右の支柱２ａ，２ａ間に一人作業でも容易に取付けることができ、施工性及びメンテナンス性の向上が図られている。
【００１４】
前記ケース４内には幕１０を巻き取る巻取部である巻取軸１１が設けられ、いわゆるロールスクリーンが組み込まれている。巻取軸１１は例えばパイプからなり、一端には回転力を伝達するための角軸１２ａが突設され、他端には丸軸１２ｂが突設されている。一方の端板６には角軸１２ａを嵌合させて正逆方向の回転を与える駆動部である例えば手動式のギヤ機構（ウォームギヤ）１３が、他方の端板６には丸軸１２ｂを回転可能に支持する軸受１６がそれぞれボルト１４とナット１５により取付けられている。手動式のギヤ機構１３は、図示しないハンドルを連結して回転力を入力するための下方に延出した入力軸１３ａを有し、この入力軸１３ａはハンドルの操作性を考慮して図２に示すように前方に傾斜していることが好ましい。
【００１５】
一方、前記丸軸１１ｂにはボールベアリングが組み込まれたベアリング１７が取付けられていることが好ましい。軸受１６は、丸軸１２ｂをベアリング１７を介して半径方向から着脱可能に支持する略Ｕ字状の軸受本体１６ａと、該軸受本体１６ａから半径方向に丸軸１２ｂが離脱しないように軸受本体１６ａにネジ１６ｂで着脱可能に取付けられる蓋１６ｃとからなっている。
【００１６】
幕１０は、耐候性を有する生地、例えばテント生地、キャンバス生地等からなっている。幕１０は、通気性の良い編目を有するものであっても良い。幕１０の交換作業を容易にするために、巻取軸１１には幕１０の一端がマジックテープ（登録商標）１８で着脱自在に取付けられていることが好ましい（図６参照）。幕１０は巻取軸１１から繰り出されケース４の下部の開口部３を通り任意の方向に引き出して張設可能になっている。
【００１７】
巻取軸１１から繰出される幕１０の先端には被係止部材である軸状のボトムバー１９が設けられている。このボトムバー１９は例えばアルミニウムの押出形材からなり、略中空円筒状又は外周が曲面状の断面略Ｈ形状等に形成されており、両端部には合成樹脂製のキャップ２０が装着されていることが好ましい。前記巻取軸１１から任意の方向に離れた位置、例えば図１に示すように、巻取軸１１を収容したケース４から後方に離れた建物３０の外壁におけるケース４と略同じ高さ位置には前記ボトムバー（被係止部材）１９を係止して（引掛けて）幕１０を張設する（引張状態に保持する）ための係止部材であるフック２１が設けられている。
【００１８】
このフック２１は例えば図７に示すように建物の外壁等に固着具例えばネジ等で固定される取付部２１ａと、ボトムバー１９の端部を引掛ける受部２１ｂとを有しており、受部２１ｂには風に煽られてボトムバー１９が外れないように返し部２１ｃが設けられていることが好ましい。フック２１はボトムバー１９の両端部を支持するように左右に一対配置される。なお、図２ないし図４において、２２，２３は支柱２ａやケース４の表面に設けられた飾りである。図３ないし図４において、２７は支柱２ａの上端部にネジ２６で取付けられて支柱２ａの上端面及びケース４の取付部分を覆う合成樹脂製の端部キャップである。
【００１９】
以上のように構成された日除け装置１は、例えば図１に示すように建物３０から離れた庭ないしテラス２４に門形フレーム２を立設して設置される。図示例の日除け装置１の場合、幕１０を建物３０に向って張設可能なように設置されている。日除け装置１は、不使用時には幕１０がケース４内の巻取軸１１に巻き取られて収納されているため、幕が汚れにくいだけでなく、シンプルな門形フレームがオブジェのようで意匠性の向上が図れる。
【００２０】
日除け装置１を使用する場合には、巻取軸１１のギヤ機構１３の入力軸１３ａにハンドルを連結して巻取軸１１から幕１０を繰り出す方向へ回転操作する。これにより幕１０がケース４の下部の開口部３から下方へ繰出されて垂下され、このようにして幕１０を必要量繰り出す。幕１０の長さを多く必要とする場合には、支柱２ａの高さ方向略中間位置に予め設けたフックにボトムバー１９の両端を支持させることにより幕１０をＵ字状にたるませるようにしても良い。幕１０を必要量繰り出したなら、図示しない竿掛け棒を用いてボトムバー１９を持ち上げ、建物３０の外壁に予め設けられたフック２１にボトムバー１９の両端部を係止する（引っ掛ける）。このとき、フック２１に係止されたボトムバー１９と巻取軸１１との間の幕１０がたるみ過ぎている場合には、巻取軸１０を巻き取り方向に回転させて幕１０を巻き取り、幕１０のたるみを取れば良い。
【００２１】
このようにして幕１０を門形フレーム２の梁２ｂであるケース４内の巻取軸１１から引き出して建物３０の外壁との間に張設するようにしたので、建物３０に日除け装置を設置することなくテラス２４上及び室内に差し込む日差しを遮り、テラス２４上等に日陰を容易に作ることができる。
【００２２】
このように本実施の形態の日除け装置１によれば、建物３０とは独立して設置される一対の柱２ａと梁２ｂからなる門形フレーム２を備え、前記梁２ｂは下部に開口部３を有するケース４からなり、該ケース４内に幕１０を巻き取る巻取軸１１を設け、該巻取軸１１から幕１０を任意の方向（図示例では建物のの方向）に引き出して張設可能としているため、建物３０とは独立した場所に設置して任意の日陰を作ることができる。図示例ではテラス２４の上方に屋根状に幕１０を張ってテラス２４上及び室内に日陰を作ることができる。特に、巻取軸１１から繰出される幕１０の先端に被係止部材であるボトムバー１９を設け、前記巻取軸１１から任意の方向に離れた位置に前記ボトムバー１９を係止して幕１０を張設するための係止部材であるフック２１を設けているため、幕９を確実且つ容易に張設することができる。幕１０をゆるやかに張設することにより、生地の風合いを生かした取付け方ができ、意匠性の向上が図れる。
【００２３】
建物とは独立して設置される一対の支柱２ａ，２ａと梁２ｂからなる門形フレーム２を備えているため、建物とは独立した場所に容易に設置して日陰を容易に作ることができる。特に、建物に日除け装置を取付けないため、建物に穴あけを必要とせず、建物に負荷をかけることがない。また、前記梁２ｂは下部に開口部３を有するケース４からなり、該ケース４内に幕１０を巻き取る巻取軸１１を設けているため、梁の外側に巻取軸のケースを取付ける場合と異なりコンパクトでシンプルな外観形状となり、意匠性の向上が図れる。
【００２４】
また、巻取軸１１から繰出される幕１０の先端に被係止部材であるボトムバー１９を設け、前記巻取軸１１から任意の方向に離れた位置に前記被係止部材であるボトムバー１９を係止して幕１０を張設するための係止部材であるフック２１を設けているため、建物３０とは独立した場所に設置して任意の日陰を容易に作ることができる。
【００２５】
図８は日除け装置の他の使用形態を概略的に示す斜視図である。本実施の形態において、図１の実施の形態と同一部分は同一符号を付して説明を省略する。本実施の形態では、建物３０から離れたテラス２４の出隅部に日除け装置１の門形フレーム２の支柱が立設されていると共に、この門形フレーム２から更に外側に離れた庭先に門形フレーム２の左右の支柱２ａ，２ａと対応する左右一対の支柱２５，２５が立設され、これら支柱２５の上端部には幕のボトムバー（軸）１９の両端部を係止するためのフック（係止部材）２１が門形フレーム２側に臨んで設けられている。本実施の形態の日除け装置１によれば、庭先の上方に幕１０を屋根状に張設することができ、庭先に日陰を容易に作ることができる。例えば庭先が駐車スペースである場合、車両ないしカーポート（或いはアプローチ）の日除け或いは雨除けとして使用することが可能となる。また、幕１０のボトムバー１９を支柱２５側のフック２１に掛けたり、或いは建物側のフック（図１参照）２１に掛けたりと幕１０の掛け方を任意に選択することが可能となる。なお、２つの門形フレーム２を抱き合わせて設置することにより、テラス上方及び庭先上方を２つの幕で同時に覆うようにしても良い。
【００２６】
図９は日除け装置の更に他の使用形態を概略的に示す斜視図である。本実施の形態において、図１の実施の形態と同一部分は同一符号を付して説明を省略する。本実施の形態では、例えば建物１３から離れた庭やテラス等に日除け装置１の門形フレーム２が設置され、ケース４内の巻取軸１１から繰り出した幕１０を真下に垂らしてスクリーンないし目隠し或いは西日除けとて使用した例が示されている。この場合、風による幕１０のバタツキを抑制ないし防止するために、支柱２ａの下側部に幕１０のボトムバー１９を引っ掛けて幕１０を張設するめのフックが設けられていても良い。
【００２７】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、巻取軸の駆動部は、手動式に限定されるものではなく、電動式であっても良い。
【図面の簡単な説明】
【００２８】
【図１】本発明の実施の形態である日除け装置の使用状態を概略的に示す斜視図である。
【図２】門形フレームの梁部分を垂直に切断してケース内の構造を概略的に示す断面図である。
【図３】門形フレームの支柱と梁の接続構造を概略的に示す平面図である。
【図４】同部分的正面図である。
【図５】ケース内の巻取軸の取付構造を概略的に示す分解斜視図である。
【図６】巻取軸の概略的分解斜視図である。
【図７】係止部材の一例を示す側面図である。
【図８】日除け装置の他の使用形態を概略的に示す斜視図である。
【図９】日除け装置の更に他の使用形態を概略的に示す斜視図である。
【符号の説明】
【００２９】
１  日除け装置
２  門形フレーム
２ａ  支柱
２ｂ  梁
３  開口部
１０  幕
１１  巻取軸
１９  ボトムバー（被係止部）
２１  フック（係止部材）
３０  建物
【図１】
2006225969.tif 000003
【図２】
2006225969.tif 000004
【図３】
2006225969.tif 000005
【図４】
2006225969.tif 000006
【図５】
2006225969.tif 000007
【図６】
2006225969.tif 000008
【図７】
2006225969.tif 000009
【図８】
2006225969.tif 000010
【図９】
2006225969.tif 000011